【手続補正書】
【提出日】平成17年4月12日(2005.4.12)
【手続補正１】
【補正対象書類名】特許請求の範囲
【補正対象項目名】全文
【補正方法】変更
【補正の内容】
【特許請求の範囲】
【請求項１】
骨内部に材料を封入するための可膨張性装置であって：
骨に挿入するために構成し適応させたバルーンであって、内側表面と外側表面を有し、内側表面がエンクロージャを画定するバルーン；
エンクロージャに配置された充填材料；
を含み、ここでバルーンが第１の構成として充填材料が内側表面から外側表面へと透過することを防ぎ、第２の構成として充填材料をエンクロージャからバルーンの外側表面へと放出する前記装置。
【請求項２】
充填材料が、骨空間を充填する材料および膨張流体からなる群より選択される、請求項１に記載の装置。
【請求項３】
骨空間を充填する材料が吸収性である、請求項２に記載の装置。
【請求項４】
充填材料が第１の状態では流動性であり、第２の状態では硬化塊である、請求項１に記載の装置。
【請求項５】
バルーンが少なくとも1カ所の破裂サイトを有し、そのサイトで開いて充填材料を放出する、請求項１に記載の装置。
【請求項６】
バルーンの各破裂サイトが、バルーン内の少なくとも１つの薄くした領域、複数の微細孔および少なくとも１つの継目を含む、請求項５に記載の装置。
【請求項７】
各破裂サイトが、バルーン内の少なくとも１つの継目からなり、ここでバルーンが遠位末端および近位末端を有し、かつ前記少なくとも１つの継目が遠位末端から近位末端まで概ね螺旋状の形状を形成する、請求項５に記載の装置。
【請求項８】
各破裂サイトが、引き金となる条件になったときに開くよう構成され適応されている、請求項５に記載の装置。
【請求項９】
引き金となる条件が、バルーンの内側および外側表面の間の圧力勾配である、請求項８に記載の装置。
【請求項１０】
引き金となる条件が、化学反応である、請求項８に記載の装置。
【請求項１１】
バルーンがin vivo で吸収されるように吸収性の材料で形成されている、請求項１に記載の装置。
【請求項１２】
バルーンが吸収されるに従い放出される医薬をバルーンがさらに含む、請求項１１に記載の装置。
【請求項１３】
医薬をさらに含む、請求項１に記載の装置。
【請求項１４】
医薬がバルーンの内側表面に配置されている、請求項１３に記載の装置。
【請求項１５】
バルーンがコーティングを含み、コーティングが医薬、疎水性材料、親水性材料、高摩擦表面を有する材料の層、低摩擦表面を有する材料の層、および密封材からなる群の少なくとも１つを含む、請求項１に記載の装置。
【請求項１６】
バルーンが第１および第２の構成要素を有し、ここで第１の構成要素が境界形成要素であり、第２の構成要素が境界形成要素を補強するための補強要素である、請求項１に記載の装置。
【請求項１７】
補強要素がブレード化された基材(braided matrix)である、請求項１６に記載の装置。
【請求項１８】
ブレード化された基材が境界形成要素の内側に配置されている、請求項１７に記載の装置。
【請求項１９】
ブレード化された基材が境界形成要素の内側および外側の１つに配置される、請求項１７に記載の装置。
【請求項２０】
バルーンが複数のチャンバを含む、請求項１に記載の装置。
【請求項２１】
複数のチャンバが、別々に膨張すること、順次膨張すること、別々に収縮すること、順次収縮すること、および別々に開くことのうちの少なくとも１つの工程を行うよう設計され構成されている、請求項２０に記載の装置。
【請求項２２】
バルーンが軸を有し、複数のチャンバが軸に沿って直列で一列に並べられている、請求項２０に記載の装置。
【請求項２３】
骨内部に材料を封入するための可膨張性装置であって：
骨に挿入するために構成し適応させたバルーンであって、内側表面と外側表面を有し、内側表面がエンクロージャを画定するバルーン；
エンクロージャに配置された充填材料；
バルーンと機能的に連結されたカテーテルであって、バルーンから分離されるよう設計され構成されているカテーテル；
を含む前記装置。
【請求項２４】
充填材料が骨空間を充填する材料である、請求項２３に記載の装置。
【請求項２５】
骨空間を充填する材料が吸収性である、請求項２４に記載の装置。
【請求項２６】
バルーンがin vivo で吸収されるように吸収性材料で形成されている、請求項２３に記載の装置。
【請求項２７】
バルーンが吸収されるに伴い放出される医薬をバルーンがさらに含む、請求項２６に記載の装置。
【請求項２８】
医薬をさらに含む、請求項２３に記載の装置。
【請求項２９】
医薬がバルーンの内側表面に配置されている、請求項２８に記載の装置。
【請求項３０】
バルーンがコーティングを含み、コーティングが医薬、疎水性材料、親水性材料、高摩擦表面を有する材料の層、低摩擦表面を有する材料の層、および密封材からなる群の少なくとも１つを含む、請求項２３に記載の装置。
【請求項３１】
バルーンが第１および第２の構成要素を有し、ここで第１の構成要素が境界形成要素であり、第２の構成要素が境界形成要素を補強するための補強要素である、請求項２３に記載の装置。
【請求項３２】
補強要素がブレード化された基材である、請求項３１に記載の装置。
【請求項３３】
ブレード化された基材が境界形成要素の内側に配置される、請求項３２に記載の装置。
【請求項３４】
ブレード化された基材が境界形成要素の内側および外側の１つに配置される、請求項３２に記載の装置。
【請求項３５】
バルーンが複数のチャンバを含む、請求項２３に記載の装置。
【請求項３６】
複数のチャンバが、別々に膨張すること、順次膨張すること、別々に収縮すること、および順次収縮することのうちの少なくとも１つの工程を行うよう設計され構成されている、請求項３５に記載の装置。
【請求項３７】
バルーンが軸を有し、複数のチャンバが軸に沿って直列で一列に並べられている、請求項３５に記載の装置。
【請求項３８】
骨内部に材料を封入するための可膨張性装置であって：
骨に挿入するために構成し適応させたバルーンであって、内側表面と外側表面を有し、内側表面が封入容器を画定するバルーン；
容器内に配置された物質であって、少なくとも第１の状態として流動性を有する物質；
バルーンの外側表面に接触している充填材料；
を含む前記装置。
【請求項３９】
物質が膨張性流体であり、充填材料が骨空間を充填する材料である、請求項３８に記載の装置。
【請求項４０】
脊椎椎間板を治療するための可膨張性装置であって：
脊椎椎間板に挿入するために構成し適応させたバルーンであって、内側表面と外側表面を有し、内側表面がエンクロージャを画定するバルーン；
エンクロージャに配置された充填材料；
を含み、ここでバルーンが第１の構成として充填材料が内側表面から外側表面へと透過することを防ぎ、第２の構成として充填材料をエンクロージャからバルーンの外側表面へと放出する前記装置。
【請求項４１】
充填材料が、ポリマー、ヒドロゲル、およびエラストマーからなる群のうちの少なくとも１つを含む請求項４０に記載の装置。
【請求項４２】
充填材料が第１の状態では流動性であり第２の状態では硬化塊である、請求項４０に記載の装置。
【請求項４３】
バルーンが少なくとも1カ所の破裂サイトを有し、そのサイトで開いて充填材料を放出する、請求項４０に記載の装置。
【請求項４４】
バルーンの各破裂サイトが、少なくとも１つの薄くした領域、複数の微細孔および少なくとも１つの継目を含む、請求項４３に記載の装置。
【請求項４５】
各破裂サイトが、バルーン内の少なくとも１つの継目からなり、ここでバルーンが遠位末端および近位末端を有し、かつ前記少なくとも１つの継目が遠位末端から近位末端まで概ね螺旋状の形状を形成する、請求項４３に記載の装置。
【請求項４６】
少なくとも１つの継目が圧力感受性である、請求項４４に記載の装置。
【請求項４７】
少なくとも１つの継目が化学感受性である、請求項４４に記載の装置。
【請求項４８】
各破裂サイトが、引き金となる条件になったときに開くよう構成され適応されている、請求項４３に記載の装置。
【請求項４９】
脊椎椎間板を治療するための可膨張性装置であって：
脊椎椎間板に挿入するために構成し適応させたバルーンであって、内側表面と外側表面を有し、内側表面が封入された容器を画定するバルーン；
容器内に配置された物質であって、流動性である少なくとも第１の状態を有する物質；
バルーンと機能的に連結されたカテーテルであって、バルーンが脊椎椎間板内にとどまるようにバルーンから分離されるよう設計され構成されているカテーテル；
を含む前記装置。
【請求項５０】
バルーンが複数のチャンバを含む、請求項４９に記載の装置。
【請求項５１】
複数のチャンバが、別々に膨張すること、順次膨張すること、別々に収縮すること、および順次収縮することのうちの少なくとも１つの工程を行うよう設計され構成されている、請求項５０に記載の装置。
【請求項５２】
バルーンが軸を有し、複数のチャンバが軸に沿って直列で一列に並べられている、請求項４９に記載の装置。
【請求項５３】
バルーンが多孔性である、請求項４９に記載の装置。
【請求項５４】
バルーンがin vivo で吸収されるように吸収性の材料で形成されている、請求項４９に記載の装置。
【請求項５５】
バルーンが吸収されるに従い放出される医薬をバルーンがさらに含む、請求項５４に記載の装置。
【請求項５６】
バルーンがコーティングを含み、コーティングが医薬、疎水性材料、親水性材料、高摩擦表面を有する材料の層、低摩擦表面を有する材料の層、および密封材からなる群の少なくとも１つを含む、請求項４９に記載の装置。
【請求項５７】
バルーンが第１および第２の構成要素を有し、ここで第１の構成要素が境界形成要素であり、第２の構成要素が境界形成要素を補強するための補強要素である、請求項４９に記載の装置。
【請求項５８】
補強要素がブレード化された基材である、請求項５７に記載の装置。
【請求項５９】
物質が、ポリマー、ヒドロゲル、およびエラストマーからなる群のうちの少なくとも１つを含む請求項４９に記載の装置。
【請求項６０】
脊椎椎間板内部に材料を封入するための可膨張性装置であって：
脊椎椎間板に挿入するために構成し適応させたバルーンであって、内側表面と外側表面を有し、内側表面が少なくとも１つの実質的に封入された容器を画定するバルーン；
少なくとも１つの容器に配置された物質であって、流動性である少なくとも第１の状態を有する物質；
を含み、ここでバルーンが複数のチャンバを含み、
複数のチャンバが別々に膨張すること、別々に収縮すること、順次膨張すること、順次収縮すること、および別々に開くことのうちの少なくとも１つの工程を行うよう設計され構成されている、前記装置。
【請求項６１】
脊椎椎間板を置換するための可膨張性装置であって：
隣接した脊椎の間に挿入するために構成し適応させたバルーンであって、内側表面と外側表面を有し、内側表面が少なくとも１つの実質的に封入された容器を画定するバルーン；
前記少なくとも１つの容器に配置された流動性物質；
を含み、ここでバルーンが、流動性物質が内側表面から外側表面へと通過することを防ぎ、
バルーンがin vivo で吸収されるように吸収性の材料で形成されている、前記装置。
【請求項６２】
バルーンと機能的に連結されたカテーテルであって、バルーンから分離されるよう設計され構成されているカテーテルをさらに含む請求項６１に記載の装置。
【請求項６３】
バルーンが複数のチャンバを含む、請求項６１に記載の装置。
【請求項６４】
バルーンが吸収されるに従い放出され得る医薬をバルーンがさらに含む、請求項６１に記載の装置。
【請求項６５】
バルーンが第１および第２の構成要素を有し、ここで第１の構成要素が境界形成要素であり、第２の構成要素が境界形成要素を補強するための補強要素である、請求項６１に記載の装置。
【請求項６６】
バルーンがコーティングをさらに含み、コーティングが医薬、疎水性材料、親水性材料、高摩擦表面を有する材料の層、低摩擦表面を有する材料の層、および密封材からなる群の少なくとも１つを含む、請求項６１に記載の装置。
【請求項６７】
脊椎椎間板を置換するための可膨張性装置であって：
隣接した脊椎の間に挿入するために構成し適応させたバルーンであって、内側表面と外側表面を有し、内側表面が少なくとも１つの実質的に封入された容器を画定するバルーン；
前記少なくとも１つの容器に配置された流動性物質；
バルーンと機能的に連結されたカテーテルであって、バルーンが隣接脊椎椎間板間にとどまるようにバルーンから分離されるよう設計され構成されているカテーテル；
を含む前記装置。